(57)【要約】【課題】構成する際には、内容器と外容器を簡単に組み合わせることができ、廃棄の際は内容器を外容器から容易に取り外して分別廃棄ができる複合容器を提供する。【解決手段】底面１１と、底面の周縁から立設された側壁１２、１３とを有する紙を主体とする外容器１と、外容器内に収納される、底部２１と側面２２、２３を有するプラスチックを主体とする内容器２と、でなる複合容器であって、外容器の、少なくとも１組の対向する側壁１３の上端に折返し部１５が連接され、折返し部は、外容器の内部側に折り返されて外容器内部の中央方向に突出した突出部１６を形成し、内容器の側面２３に、突出部と嵌合する嵌合部２４が形成され、突出部と嵌合部が嵌合して外容器と内容器が分離可能に一体化されてなる。【選択図】図１
2020011767.tif 000002
【特許請求の範囲】
【請求項１】
底面と、前記底面の周縁から立設された側壁とを有する紙を主体とする外容器と、
前記外容器内に収納される、底部と側面を有するプラスチックを主体とする内容器と、でなる複合容器であって、
前記外容器の、少なくとも１組の対向する前記側壁の上端に折返し部が連接され、
前記折返し部は、前記外容器の内部側に折り返されて前記外容器内部の中央方向に突出した突出部を形成し、
前記内容器の前記側面に、前記突出部と嵌合する嵌合部が形成され、
前記突出部と前記嵌合部が嵌合して前記外容器と前記内容器が分離可能に一体化されてなることを特徴とする複合容器。
【請求項２】
前記折返し部が少なくとも１回折曲げられることにより、前記突出部が形成されていることを特徴とする請求項１に記載の複合容器。
【発明の詳細な説明】
【技術分野】
【０００１】
本発明は、石油資源の節減や廃棄物に係る環境保全等を考慮した、紙を主体とした外側容器とプラスチック製の内側容器の組み合わせでなる複合容器に関する。
【背景技術】
【０００２】
従来、食品や医療・医薬品等を収納し、さらに密封性を必要とする容器として、ポリプロピレンやポリエチレンテレフタレート等プラスチック製のトレー状容器が知られ、開口部には蓋材を設けて密封するプラスチック製容器が広く用いられている。
【０００３】
しかし近年、廃棄物の増加による環境問題や、石油価格の高騰に対応するため、上記プラスチック製のトレー状容器においても、プラスチック部を超薄肉とした内容器と、それを補強するための紙製の外容器とを組み合わせて複合容器とすることによって、石油由来の成分の節減と、使用後の廃棄の際に紙とプラスチックとを容易に分離分別してそれぞれのリサイクル化が図られるようにした環境調和型の容器が種々提案されている。
【０００４】
紙とプラスチックの組み合わせでなる環境調和型の容器を形成する方法としては、従来から、図７（ａ）に示す様に、紙製の外容器４１とプラスチック製の内容器４２を接着剤４３で強固に接着して固定する方法、図７（ｂ）に示す様に両面テープ４４で貼り合せる方法などがある。接着剤で固定する方法は、固定しやすく確実だが、紙製の外容器とプラスチック製の内容器を分離するのが困難であり、また両面テープで貼り合せる方法は、両面テープを貼り付ける作業、セパレータを剥がす作業の自動化が困難なため、非効率であるという問題があった。
【０００５】
また２重容器を固定する方法として、特許文献１には、金属製の内容器のフランジ部を紙製の外容器に設けた差込孔に差し込んで固定する方法が開示されている。分離は容易であるが差込孔に差し込む作業が煩雑であり、やはり効率が悪いという問題があった。
【０００６】
また、特許文献２には、紙製容器にプラスチック製容器を内挿した２重容器が例示され、フランジ部で紙製容器とプラスチック製容器の端部を重ね合わせ、さらに蓋を重ね合わせて、加熱・溶着して二重容器を密封する方法が開示されている。
【０００７】
しかしながら、特許文献２に開示された密封方法が適用された２重容器は、フランジ部で紙製容器とプラスチック製容器の端部が強固に熱溶着されているため、使用後に廃棄する際、紙製容器とプラスチック製容器をきれいに分離するのが困難であり、分別して廃棄するのが容易でないという問題があった。
【０００８】
また、特許文献３には、紙製容器の内部に、柔軟性のプラスチック袋容器を挿入した２重容器が開示され、プラスチック成形の口枠により、プラスチックフィルム、あるいはシートからなる袋体の口部を固着したプラスチック袋容器を、紙製容器の内部に挿入し、プラスチック袋容器の口枠を、紙製容器の開口部に分離可能に嵌合、もしくは接着した構成の２重容器が開示されている。
【０００９】
しかしながら、特許文献３に開示された２重容器は、紙製容器とプラスチックの袋体を一体化するために、別にプラスチック成形の口枠が必要であり、余分なプラスチック製品を必要とするため、環境調和性の点で好ましくなく、コスト高にもなるという問題があった。
【先行技術文献】
【特許文献】
【００１０】
【特許文献１】特開昭６４−３７３６８号公報
【特許文献２】特開平７−１１２７０７号公報
【特許文献３】特開平７−４１０４６号公報
【発明の概要】
【発明が解決しようとする課題】
【００１１】
本発明は、上記の様な従来技術の課題を解決するためなされたもので、複合容器を構成する際には、内容器と外容器を簡単に組み合わせることができ、一方廃棄の際は、内容器を外容器から容易に取り外して分別廃棄ができる、環境調和性の高い複合容器を提供することを課題とする。
【課題を解決するための手段】
【００１２】
上記課題を解決するため、本発明の請求項１に係る発明は、
底面と、前記底面の周縁から立設された側壁とを有する紙を主体とする外容器と、
前記外容器内に収納される、底部と側面を有するプラスチックを主体とする内容器と、でなる複合容器であって、
前記外容器の、少なくとも１組の対向する前記側壁の上端に折返し部が連接され、
前記折返し部は、前記外容器の内部側に折り返されて前記外容器内部の中央方向に突出した突出部を形成し、
前記内容器の前記側面に、前記突出部と嵌合する嵌合部が形成され、
前記突出部と前記嵌合部が嵌合して前記外容器と前記内容器が分離可能に一体化されてなることを特徴とする複合容器である。
【００１３】
また、本発明の請求項２に係る発明は、
前記折返し部が少なくとも１回折曲げられることにより、前記突出部が形成されていることを特徴とする請求項１に記載の複合容器である。
【発明の効果】
【００１４】
本発明によれば、紙製の外容器の、少なくとも１組の対向する側壁の上端に連接された折返し部が、容器内側に折り返されて容器内側に突出した突出部が形成され、プラスチック製の内容器に突出部に嵌合する嵌合部が設けられた複合容器が得られる。本発明の複合容器は、内容器を外容器に単純に押し込むだけで突出部と嵌合部を嵌合させることができて内容器と外容器を一体化して固定できるため、一体の容器として内容器に内容物を収納できる。そして内容物の消費後に複合容器を廃棄する際には、内容器を変形させることで容易に内容器を外容器から取り外すことできるため、紙製の外容器とプラスチック製の内容器を容易に分別してリサイクルや廃棄をすることが可能な、環境調和性の高い複合容器を得ることができる。
【図面の簡単な説明】
【００１５】
【図１】本発明の複合容器の外容器と内容器の一形態の外観模式図である。
【図２】本発明の複合容器の外容器に内容器を嵌め込む様子の断面模式図である。
【図３】本発明の複合容器から内容器を取り外す態様の断面模式図である。
【図４】本発明の複合容器の折返し部の別形態を例示する断面模式図である。
【図５】本発明の複合容器の折返し部の別形態を例示する断面模式図である。
【図６】本発明の複合容器の突出部と嵌合部の別形態を例示した図である。
【図７】従来の複合容器の断面模式図である。
【発明を実施するための形態】
【００１６】
以下、本発明の実施の形態を、図面を参照しながら詳細に説明する。なお本発明は以下に説明する実施形態に限定されるものではない。なお、以下において同等の部材等には同じ符号を付して説明を省略することがある。
【００１７】
図１は、本発明の複合容器の外容器と内容器の一形態の外観模式図である。紙製の外容器１とプラスチック製の内容器２が分離された状態を示している。外容器１は、矩形の底面１１の周縁に側壁１２、１３が立設され、側壁１２、１３は隣接する側壁と互いに接合されてトレー状となっている。対向する１組の側壁１３、１３の上端１４にそれぞれ折返し部１５が連接され、折返し部１５は外容器１の内側に折り返されてその端部が外容器の中心側に突出した態様となり突出部１６を形成している。
【００１８】
内容器２は、プラスチック樹脂を射出成形や延伸ブロー成形など公知の成形技術によりにより成形した容器であり、底部２１の周縁から側面２２、２３が立ち上がり、対向する１組の側面２３、２３に嵌合部２４が形成されている。側面２３は、内容器２が外容器１に嵌め込まれて一体化されたときに側壁１３および折返し部１５と当接する面であり、嵌合部２４は内容器２が外容器１に挿入されて一体化されたときに突出部１６と嵌合する部位に設けられる。また側面２２、２３の上端にフランジ２４が設けられ、内容器２を封止するために別の蓋材などを接着することができる。
【００１９】
図２は、本発明の複合容器の外容器に内容器を嵌め込む様子の断面模式図である。嵌合部２４の形状は、例えば図２に例示したような段差状とする。内容器２を外容器１に嵌め込む際は、折返し部１５は紙を折り曲げた部位であるため自然な弾性により側壁１３に沿うように容易に変形して段差を乗り越える。内容器２が完全に嵌めこまれた状態では突出部１６が元に戻って嵌合部２４と嵌合し、内容器２´の様に外容器１から簡単に抜け落ちない様に嵌めこまれて一体化した態様となり、本発明の複合容器３が形成される。
【００２０】
折返し部１５は、図１に例示したような１組の側壁１３、１３だけでなく、別の１組の側壁１２、１２にも設けられても良い。そのとき内容器２の別の側面２２、２２にも嵌合部を形成して良い。複数組の側壁で内容器と嵌合することにより、内容器がより抜け落ち難い複合容器とすることが出来る。
【００２１】
外容器１の底面１１は、図１に例示した様な矩形以外に、任意の多角形、または円形や楕円形でもよい。その場合、側壁同士が厳密には正対しない場合もあるが、実質的に対向している側壁に折返し部を設ければ良い。
【００２２】
本発明の複合容器３を構成する外容器１は、紙を主体として形成され、その材料としては、例えば坪量１５０〜５００ｇ／ｍ２の範囲の板紙で、例えばコートボール、ノーコートボール、アイボリー、特殊マニラあるいはチップボール等板紙が挙げられ、さらには段ボールでもよいが、表面への印刷適性を考慮すればコートボールやアイボリー等が好ましく用いられ、美粧性に優れた複合容器３を得ることができる。
【００２３】
また、外容器１には文字や画像などの印刷が施されていても良く、耐水性を上げるために耐水性コーティングが施されても良い。
【００２４】
また、本発明の複合容器３を構成する内容器２の材料としては、熱可塑性樹脂を好ましく使用することができ、例えばポリエチレンテレフタレート樹脂、ポリプロピレン樹脂、ポリスチレン樹脂、変性ポリオレフィン樹脂、ポリエチレン樹脂およびこれら混合物、ポリアクリロニトリル樹脂、ポリ塩化ビニル樹脂、エチレン− 酢酸ビニル共重合体樹脂、ポリカーボネート樹脂、ナイロン樹脂あるいはポリビニルアルコール樹脂等が挙げられ、内容物の種類やその保存性あるいは成形方法等によって適宜選定される。例えば延伸ブロ
ー成形の場合は、延伸ブロー成形性がよく、水蒸気バリア性に優れ、衛生性も良好であることからポリプロピレン樹脂が好適に使用される。
【００２５】
本発明の複合容器３は、例えばプラスチック製の内容器２を従来のプラスチック製の容器に比べて薄肉とし、その分を紙製の外容器１で補強してプラスチック樹脂の使用量を減らすこともでき、使用後は紙とプラスチックを容易に分離分別し、それぞれをリサイクルし易くした、より環境調和性の高い複合容器３とすることができる。
【００２６】
図３は、本発明の複合容器から内容器を取り外す態様の断面模式図である。内容物を消費するなどして使用を終えた複合容器３を廃棄する際には、空になった内容器２の側面２３を内側に撓めるなどすることにより、嵌合部２４の突出部１６との嵌合を容易に外すことができる。そのうえで、内容器２を白矢印のように引き出すことで、プラスチック製の内容器２を紙製の外容器１から分離することができ、紙とプラスチックを分別して廃棄することが手間なく行える。
【００２７】
図４および図５は、本発明の複合容器の折返し部の別形態を例示する断面模式図である。図４（ａ）に示す例は、外容器１の折返し部１５が折り目１６で再度折り返され、先端側が折返し片１７となると共に折り目１６が突出部１６となった形態である。折返し片１７が折返し部１５と側壁１３の間に挟まれる形となり、折返し片１７の紙のコシにより、突出部１６がより強く中央側に押し出される。そのため、突出部１６での内容器の嵌合部２４との嵌合がはずれ難く、より確実に嵌合する。
【００２８】
図４（ｂ）に示す例は、外容器１の折返し部１５が折り目１６で再度折り返され、折返し片１７が側壁１３への支柱状となると共に折り目１６が突出部１６となった形態である。折返し片１７が側壁１３との間で支柱状となるため、折返し片１７の紙の剛性により、突出部１６が潰れてしまうことがなく、突出部１６での内容器の嵌合部２４との嵌合がはずれ難く、より確実に嵌合する。
【００２９】
図５（ｃ）に示す例は、外容器１の折返し部１５が２回折返され、折返し片１７の先端が底面１１に接近しており、最初の折り目１６が突出部１６となった形態である。２番目の折り目１８より先の折返し片１７の先端が底面１１に接近しているため、突出部１６が側壁１３側に押されて潰れたとき、折返し片１７が伸びてその先端が底面１１に接触し、それ以上伸びられないため、突出部１６がそれ以上潰れることがなく、突出部１６での内容器の嵌合部２４との嵌合がはずれ難く、より確実に嵌合する。
【００３０】
図５（ｄ）に示す例は、外容器１の折返し部１５が３回折返され、折返し片１７の先端が底面１１に接近している形態である。突出部１６の前後に折り目１９、１９が設けられることにより突出部１６が突出した形態である。折返し片１７の先端が底面１１に接近しているため、突出部１６が側壁１３側に押されて潰れたとき、折返し片１７が伸びてその先端が底面１１に接触し、それ以上伸びられないため、突出部１６がそれ以上潰れることがなく、突出部１６での内容器の嵌合部２４との嵌合がはずれ難く、より確実に嵌合する。
【００３１】
図５（ｅ）に示す例は、外容器１の折返し部１５が４回折返され、折返し片１７の先端が底面１１に接近している形態である。ジグザグ状に４回折返されることにより、突出部１６が２箇所に形成された形態である。内容器２にも対応して嵌合部２４が２箇所に設けられている。嵌合する箇所が２箇所になるため、突出部１６での内容器の嵌合部２４との嵌合がはずれ難く、より確実に嵌合する。
【００３２】
図６は、本発明の複合容器の突出部と嵌合部の別形態を例示した図である。ここでは外
容器１の突出部１６が底面１１に対して斜め方向に設けられている。そして内容器２の嵌合部２４も、突出部１６と嵌合する様に斜め方向に設けられている。本形態の複合容器を使用後に廃棄するために内容器２を外容器１から分離するとき、内容器２のフランジ２５を持って嵌合部２４が伸びる方向に沿って斜め方向に引き上げると、内容器２と外容器１の間にある若干の遊びにより斜め方向に動き出す。さらに引き続けると、内容器の端部２６が外容器の側壁１２にぶつかるが、内容器２が肉薄であれば端部２６は変形して潰れ、内容器２が変形して嵌合部２４の外容器１との嵌合が外れ、内容器２を外容器１から分離することができる。すなわち、フランジ２５を一方向に引くだけで容易に内容器２と外容器１の分離ができる。
【００３３】
以上説明したように、本発明の複合容器によれば、紙製の外容器とプラスチック製の内容器を容易に一体化でき、かつ廃棄の際は、紙製の外容器とプラスチック製の内容器を容易に分離でき、分別廃棄が容易に行える複合容器を提供できる。
【実施例】
【００３４】
以下に実施例により本発明をより具体的に説明する。
【００３５】
＜実施例１＞
（１）形状
・全体形状が図１に例示したものと同様の形状の複合容器を作成した。但し、折返し部は図５（ｃ）に例示したものと同様のものを対向する１組の側壁に設けた。
・外容器は、コートボール（坪量３１０ｇ／ｍ２）を折り曲げて貼り合せて作成した。
・内容器は、ポリプロピレン樹脂のシート成形により作製した。
（２）評価
・一体化の簡便性：専用の器具などを用いず、煩雑な作業が必要ない場合を○とした。
・易廃棄性：内容器と外容器を容易に分離できる場合を○とした。
・評価結果を表１にまとめる。
【００３６】
＜実施例２＞
・折返し部を、図５（ｄ）に例示したものと同様のものを対向する２組の側壁に設けた以外は実施例１と同様の形状の複合容器を作成し、同様に評価を行った。
・評価結果を表１にまとめる。
【００３７】
＜実施例３＞
・折返し部を、図４（ａ）に例示したものと同様のものを対向する２組の側壁に設けた以外は実施例１と同様の形状の複合容器を作成し、同様に評価を行った。
・評価結果を表１にまとめる。
【００３８】
＜実施例４＞
・折返し部を、図４（ｂ）に例示したものと同様のものを対向する１組の側壁に設けた以外は実施例１と同様の形状の複合容器を作成し、同様に評価を行った。
・評価結果を表１にまとめる。
【００３９】
＜実施例５＞
・折返し部を、図２に例示したものと同様のものを対向する２組の側壁に設けた以外は実施例１と同様の形状の複合容器を作成し、同様に評価を行った。
・評価結果を表１にまとめる。
【００４０】
＜実施例６＞
・折返し部を、図５（ｅ）に例示したものと同様のものを対向する１組の側壁に設けた以外は実施例１と同様の形状の複合容器を作成し、同様に評価を行った。
・評価結果を表１にまとめる。
【００４１】
＜比較例１＞
・全体形状が図１に例示したものと同様の形状の複合容器を作成した。但し、折返し部は設けず、図７（ａ）に例示したものと同様に、内容器と外容器をホットメルト接着剤で接着した形状の複合容器を作成し、同様に評価を行った。
・評価結果を表１にまとめる。
【００４２】
＜比較例２＞
・全体形状が図１に例示したものと同様の形状の複合容器を作成した。但し、折返し部は設けず、図７（ｂ）に例示したものと同様に、内容器と外容器を両面テープで接着した形状の複合容器を作成し、同様に評価を行った。
・評価結果を表１にまとめる。
【００４３】
【表１】
2020011767.tif 000003
【００４４】
表１から明らかな様に、本発明の複合容器はいずれも一体化の簡便性に優れ、分別廃棄が容易であった。これに対し、比較例１は一体化の際に専用の器具が必要で、廃棄の際の分別も困難であった。また比較例２は、分別廃棄は容易であったが、一体化の際にセパレータを剥がす作業が煩雑であった。
【符号の説明】
【００４５】
１・・・外容器
２・・・内容器
３・・・複合容器
１１・・・底面
１２、１３・・・側壁
１４・・・上端
１５・・・折返し部
１６・・・突出部
１７・・・折返し片
１８、１９・・・折り目
２１・・・底部
２２、２３・・・側面
２４・・・嵌合部
２５・・・フランジ
２６・・・端部
【図１】
2020011767.tif 000004
【図２】
2020011767.tif 000005
【図３】
2020011767.tif 000006
【図４】
2020011767.tif 000007
【図５】
2020011767.tif 000008
【図６】
2020011767.tif 000009
【図７】
2020011767.tif 000010